(57)【要約】【課題】遊技の興趣を高め、遊技者に優越感・満足感を与える遊技機を提供することを目的とする。【解決手段】遊技機１は、遊技球流入領域２１の下端にアウト口１５を設け、遊技球流入領域２１の両側部に遊技球受入口２３，２３を設けている。左右一対可動部材２７，２７は、ソレノイド３９の動作より、遊技球流入領域２１においてアウト口１５への遊技球の経路を開放する第１位置と、アウト口１５への遊技球の経路を閉鎖して遊技球流入領域２１に流入する遊技球を遊技球受入口２３に誘導する第２位置とに変位する。大当たりの際には、可動部材２７，２７が第２位置に変位して、遊技球流入領域２１の両側部に設けられた遊技球受入口２３，２３に遊技球が誘導される。一方、大当たり以外の際には、可動部材２７，２７が第１位置に変位して、遊技球流入領域２１の下端に設けられたアウト口１５に遊技球が誘導される。【選択図】図５
2018075126.tif 000002
【特許請求の範囲】
【請求項１】
発射された遊技球が流下する遊技領域が形成される遊技盤を備え、
前記遊技領域には、前記遊技領域に打ち込まれた遊技球が入球する入賞口と、
前記入賞口に入賞しなかった遊技球が流入するアウト口と、を有する遊技機であって、
前記遊技盤の盤面の中央より下側であって前記遊技盤の盤面の最下端よりも上方の位置には、前記遊技盤の盤面を流下する遊技球が流入する遊技球流入領域が形成されており、
前記遊技球流入領域の下端に前記アウト口を設け、
前記アウト口より上方であって前記遊技球流入領域の側部に遊技球受入口を設け、
前記遊技球流入領域において前記アウト口への遊技球の経路を開放する第１位置と、前記アウト口への遊技球の経路を閉鎖して前記遊技球流入領域に流入する遊技球を前記遊技球受入口に誘導する第２位置とに変位する可動部材を備える遊技機。
【請求項２】
前記遊技球受入口の開口に入賞した遊技球を検出する入賞球検出手段が設けられている請求項１に記載の遊技機。
【請求項３】
前記可動部材には、前記第２位置において前記遊技球受入口の盤面開口の前面に位置して、前記可動部材で受けられた遊技球を前記遊技球受入口から前記遊技盤の奥側へ誘導する誘導部を備える請求項１又は２に記載の遊技機。
【請求項４】
前記遊技球流入領域を形成する側部において、前記遊技球受入口の上方にアウト流路を設ける請求項１〜３のいずれか１項に記載の遊技機。
【請求項５】
前記可動部材には、前記第２位置から前記第１位置へ変位する際に受けた遊技球を前記アウト流路に誘導するための誘導段部が形成されている請求項４に記載の遊技機。
【請求項６】
前記可動部材は前記遊技盤の盤面と直交する回動軸により回動する請求項１〜５のいずれか１項に記載の遊技機。
【請求項７】
前記可動部材は、遊技球受入口側に窪む円弧状に形成されている請求項６に記載の遊技機。
【請求項８】
前記可動部材が前記第２位置から前記第１位置へ変位する際に、前記第２位置のときに前記遊技球受入口の近傍に位置する前記可動部材の部位が、下方に可動して遊技球受入口と所定の間隔離間するように前記可動部材が軸支されている請求項６又は７に記載の遊技機。
【請求項９】
前記遊技球受入口より下方の領域には、前記可動部材が前記第２位置から前記第１位置へ変位する際に前記可動部材で受けた遊技球を前記アウト口へ導くための回避流路が設けられている請求項８に記載の遊技機。
【発明の詳細な説明】
【技術分野】
【０００１】
本発明は、遊技機に関するものである。
【背景技術】
【０００２】
従来より、遊技盤に形成される遊技領域には遊技球が入賞したことを条件として当たり抽選を受けるための権利（当たり抽選の権利）が取得される始動口をはじめとした入賞口が設けられ、入賞口に入賞しなかった遊技球が流入するアウト口が遊技領域の最下端に設けられている。また、多くの遊技機は、所謂大当たりとなる特別遊技状態のときに開放する大入賞口を備えている。
そして、遊技機の多くは、遊技者が発射した打球の多くがアウト球になる盤面構成となっており、特別遊技状態のときであっても、大入賞口の左右側を通過してアウト口に至る遊技球も少なくはなく、遊技者にとっては無駄球となっていた。
そこで、特許文献１，２のような遊技機が提案されている。
特許文献１の遊技機は、アウト口へ向かおうとする遊技球をも効率よく大入賞口に誘導した構成を採用している。
また、特許文献２の遊技機は、アウト球が時によってはセーフ球に変化させる構成を採用している。
【先行技術文献】
【特許文献】
【０００３】
【特許文献１】特開２００３−２９９８０３号公報
【特許文献２】実公昭５１―２８２０７号公報
【発明の概要】
【発明が解決しようとする課題】
【０００４】
しかしながら、特許文献１，２の大入賞口もセーフ球受入口もアウト口の直近に設けられており、大入賞口，セーフ球受入口の開閉扉，翼片がアウト口の開口を直接的に閉鎖して遊技球を入賞させるようにしている。
そのため、折角大当たりとなって、大入賞口が開放しても入賞しているかが視認し難く大当たりの醍醐味が希薄になりがちであった。大入賞口への入賞を確認するためには、遊技領域の最下端を見なければならず、遊技の主体となる中央から視線をそらすことになり、遊技の興趣の低下を招く虞がある。
また、アウト口と大入賞口とが近接しているため、アウト口に誘導されたのか大入賞口に誘導されたのかが分かりづらいとういう問題もある。
【０００５】
本発明は、上述した課題を解決するためになされたものであり、遊技の興趣を高め、遊技者に優越感・満足感を与える遊技機を提供することを目的とする。
【課題を解決するための手段】
【０００６】
上記課題を解決するために、本発明の遊技機は、
発射された遊技球が流下する遊技領域が形成される遊技盤を備え、
前記遊技領域には、前記遊技領域に打ち込まれた遊技球が入球する入賞口と、
前記入賞口に入賞しなかった遊技球が流入するアウト口と、を有する遊技機であって、
前記遊技盤の盤面の中央より下側であって前記遊技盤の盤面の最下端よりも上方の位置には、前記遊技盤の盤面を流下する遊技球が流入する遊技球流入領域が形成されており、
前記遊技球流入領域の下端に前記アウト口を設け、
前記アウト口より上方であって前記遊技球流入領域の側部に遊技球受入口を設け、
前記遊技球流入領域において前記アウト口への遊技球の経路を開放する第１位置と、前記アウト口への遊技球の経路を閉鎖して前記遊技球流入領域に流入する遊技球を前記遊技球受入口に誘導する第２位置とに変位する可動部材を備えることを特徴とする。
【発明の効果】
【０００７】
本発明の遊技機によれば、遊技球流入領域の下端にアウト口を設け、遊技球流入領域の側部に遊技球受入口を設けている。そして、可動部材は、遊技球流入領域においてアウト口への遊技球の経路を開放する第１位置と、アウト口への遊技球の経路を閉鎖して遊技球流入領域に流入する遊技球を遊技球受入口に誘導する第２位置とに変位する。
すなわち、大当たりの際には、可動部材が第２位置に変位して、遊技球流入領域の側部に設けられた遊技球受入口に遊技球が誘導される。一方、大当たり以外の際には、可動部材が第１位置に変位して、遊技球流入領域の下端に設けられたアウト口に遊技球が誘導される。
従って、大当たりの際に、遊技者は、入賞を確認するために、遊技球流入領域の下端を見る必要はなくなるため、遊技の興趣の低下が抑制される。
また、大当たりの際には、アウト口と離隔した位置に配置された遊技球受入口に遊技球が誘導されるので、入賞の確認がし易い。
このように、本発明によれば、通常時にアウト口に誘導されていた遊技球が、大当たりの際には遊技球受入口に誘導されるのが明確になり、遊技の興趣を高め、遊技者に優越感・満足感が与えられる。
【０００８】
本発明の遊技機は、前記遊技球受入口の開口に入賞した遊技球を検出する入賞球検出手段が設けられている構成とすることができる。
この構成によれば、遊技球受入口へ入賞した遊技球の数を入賞球検出手段により計数して可動部材の動作を即座に制御することができ、可動部材を第１位置と第２位置の間を迅速に可動させて遊技球受入口への入球を制御することができる。
【０００９】
本発明の遊技機では、前記可動部材には、前記第２位置において前記遊技球受入口の盤面開口の前面に位置して、前記可動部材で受けられた遊技球を前記遊技球受入口から前記遊技盤の奥側へ誘導する誘導部を備える構成とすることができる。
このような構成にすると、可動部材で受けられた遊技球を確実に遊技球受入口に入球させることができる。
【００１０】
本発明の遊技機では、前記遊技球流入領域を形成する側部において、前記遊技球受入口の上方にアウト流路を設けることができる。
この構成とすると、遊技球受入口に遊技球が所定個数入球したあと、可動部材に受けられた余剰球をアウト流路に流すことにより、遊技球受入口への余剰球の入球を抑制することができる。
【００１１】
本発明の遊技機では、前記可動部材には、前記第２位置から前記第１位置へ変位する際に受けた遊技球を前記アウト流路に誘導するための誘導段部が形成されている構成とすることができる。
この構成にすると、遊技球受入口に遊技球が所定個数入球したあと、可動部材に受けられた余剰球は、誘導段部によって、アウト流路に誘導されるから、遊技球受入口への余剰球の入球をより確実に抑制することができる。
【００１２】
本発明の遊技機では、前記可動部材は前記遊技盤の盤面と直交する回動軸により回動する構成とすることができる。
この構成にすると、可動部材は盤面に沿って可動するため動きを大きく見せることができ、可動部材の動きが目立ち、遊技の興趣をより高めることができる。
【００１３】
本発明の遊技機では、前記可動部材は、遊技球受入口側に窪む円弧状に形成されている構成とすることができる。
この構成にすると、直線状の可動部材よりもより大きく見せることができ、遊技の興趣をより高めることができる。
【００１４】
本発明の遊技機では、前記可動部材が前記第２位置から前記第１位置へ変位する際に、前記第２位置のときに前記遊技球受入口の近傍に位置する前記可動部材の部位が、下方に可動して遊技球受入口と所定の間隔離間するように前記可動部材が軸支されている構成とすることができる。
この構成にすると、第２位置から第１位置へ変位する際に、遊技球受入口の近傍に位置する可動部材の部位が下方に可動するから、可動部材に受けられた遊技球は遊技球受入口に誘導されることなく余剰球として確実にアウト口に流すことができる。
【００１５】
本発明の遊技機では、前記遊技球受入口より下方の領域には、前記可動部材が前記第２位置から前記第１位置へ変位する際に前記可動部材で受けた遊技球を前記アウト口へ導くための回避流路が設けられている構成とすることができる。
この構成にすると、可動部材が第２位置から第１位置へ変位する際に、可動部材で受けた余剰球を回避流路を介して確実にアウト口に導くことができる。
【図面の簡単な説明】
【００１６】
【図１】図１は、実施例１に係る遊技機を概略的に例示する正面図である。
【図２】図２は、実施例１の遊技球流入領域における可動部材及びその周辺の構成の斜視図である。
【図３】図３は、実施例１において、正面側からみた可動部材及びその周辺の構成の分解斜視図である。
【図４】図４は、実施例１において、背面側からみた可動部材及びその周辺の構成の分解斜視図である。
【図５】図５は、実施例１の遊技球流入領域における可動部材の作用を示す正面図である。  図５（Ａ）は、可動部材が第１位置にある状態を示す。  図５（Ｂ）は、可動部材が第２位置にある状態を示す。
【図６】図６は、実施例１の可動部材及びその駆動部の構成の斜視図である。  図６（Ａ）は、可動部材が第１位置にある状態を示す。  図６（Ｂ）は、可動部材が第２位置にある状態を示す。
【図７】図７は、実施例１の可動部材及びその駆動部の構成の正面図である。  図７（Ａ）は、可動部材が第１位置にある状態を示す。  図７（Ｂ）は、可動部材が第２位置にある状態を示す。
【図８】図８は、実施例１の可動部材及びその駆動部の構成の背面図である。  図８（Ａ）は、可動部材が第１位置にある状態を示す。  図８（Ｂ）は、可動部材が第２位置にある状態を示す。
【図９】図９は、実施例２の遊技球流入領域における可動部材の作用を示す正面図である。  図９（Ａ）は、可動部材が第１位置にある状態を示す。  図９（Ｂ）は、可動部材が第２位置にある状態を示す。
【図１０】図１０は、実施例３の遊技球流入領域における可動部材の作用を示す正面図である。  図１０（Ａ）は、可動部材が第１位置にある状態を示す。  図１０（Ｂ）は、可動部材が第２位置にある状態を示す。
【図１１】図１１は、実施例４の遊技球流入領域における可動部材の作用を示す正面図である。
【図１２】図１２は、実施例５の遊技球流入領域における可動部材の作用を示す正面図である。  図１２（Ａ）は、可動部材が第１位置にある状態を示す。  図１２（Ｂ）は、可動部材が第２位置にある状態を示す。
【図１３】図１３は、実施例６の遊技球流入領域における可動部材の作用を示す正面図である。  図１３（Ａ）は、可動部材が第１位置にある状態を示す。  図１３（Ｂ）は、可動部材が第２位置にある状態を示す。
【発明を実施するための形態】
【００１７】
[実施例１]
以下、実施例１について、図１〜８を参照して説明する。なお、図１は、実施例１に係る遊技機を例示する正面図であり、まず、図１を参照して遊技機１の構成を概説する。
【００１８】
図１に示す遊技機１は、いわゆるパチンコ機として構成されており、遊技者側に配される前面枠３に形成された窓部５に透明板（ガラス板等）が配置され、遊技者が透明板を介して後方の遊技盤９、特に遊技領域７（遊技球が流下可能な領域）を視認できるように構成されている。また、遊技領域７は、遊技盤９の盤面にガイドレール４等によって窓部５と略同形の円形に区画形成されている。この遊技領域７において、中央付近には表示装置１１が設けられ、表示装置１１の下方には、表示装置１１の図柄等を変動させる入賞口としての始動口１３が設けられている。また、遊技領域７には一般の入賞口６及び遊技球がランダムに流下するように配される障害釘８が植設され、遊技領域７の最下端には入賞口６及び始動口１３に入賞しなかった遊技球が流入するアウト口１５が設けられている。さらに、前面枠３の窓部５の下方側には、遊技球を貯留する上皿１７及び下皿１８が設けられており、下皿１８の右側方には上皿１７に貯留された遊技球を遊技盤９の遊技領域７内へ打ち込むために遊技者が操作する発射ハンドル１９が設けられている。なお、一般の入賞口６及び始動口１３に遊技球が入球すると、入賞球として処理され図示しない球払出装置から上皿１７に所定個数の賞球が払い出されるようになっている。
【００１９】
本明細書において、「前後方向」とは、遊技盤９の前面（盤面）と直交する方向を意味し、前面（盤面）に対し遊技者が位置するべき側を前方側、それとは反対側（即ち、遊技機１奥側）を後方側とする。また、「上下方向」とは、遊技盤９の前面と平行な方向であって遊技領域７を遊技球が流下する方向を意味する。図１の例では、前面視長方形状に構成される遊技機１の長手方向が上下方向である。また、「左右方向」とは、上記「前後方向」及び「上下方向」と直交する方向を意味する。図１の例では、前面視長方形状に構成される遊技機１の短手方向が左右方向である。なお、遊技機１の前方側から見て左側を左方向、右側を右方向とする。また、「水平方向」とは、上記「上下方向」と直交する平面方向（即ち、「前後方向」及び「左右方向」と平行な平面方向）を意味する。
【００２０】
図１に示すように、遊技盤９の盤面の中央より下側（始動口１３等の入賞口の設置位置より下側）であって遊技盤９の盤面の最下端よりも上方の位置には、遊技盤９の盤面を流下する遊技球が流入する遊技球流入領域２１が飾り枠部材２９とガイドレール４で区画形成されている。そして、遊技球流入領域２１の下端に上述のアウト口１５が位置している。つまり、遊技球流入領域２１とは、通常時に遊技球流入領域２１より上方に設けられる始動口１３等の入賞口に入賞しなかった全ての遊技球が流入する領域であって、この領域に流入した遊技球は全てアウト口１５に導かれる領域として形成されている。なお、実施例において、遊技球流入領域２１を飾り枠部材２９を用いて区画形成するようにしたが、遊技球流入領域２１は、障害釘８等で区画形成するようにしてもよい。
図５に示すように、アウト口１５より上方であって遊技球流入領域２１の両側部には、遊技球流入領域２１の側方から少し外方に奥まって、略左右対称となるように遊技球受入口２３，２３が設けられている。また、遊技球受入口２３，２３は、通常時には後述の可動部材２７，２７で閉鎖されており、大当たりとなる特別遊技状態のときには、遊技球は傾倒した可動部材２７，２７に受けられて、遊技球受入口２３，２３に導かれ入賞する。遊技球受入口２３，２３の開口部近傍には、入賞球を検出するための入賞球検出手段２５，２５が配されている。本実施例１では、入賞球検出手段２５，２５により、遊技球受入口２３，２３へ入賞した遊技球の数を計数して、可動部材２７，２７の動作を制御する構成とされている。すなわち、遊技球受入口２３，２３へ入賞した遊技球が入賞球検出手段２５，２５により検出され、その数が所定数に達すると、可動部材２７，２７を動作させて、遊技球受入口２３，２３への入球を制御する構成とされている。
なお、遊技球流入領域２１の上端に位置する球流入開口の左右両側部であって、遊技球受入口２３，２３の上方位置には他のアウト口１６，１６が設けられ、ここに入球した遊技球はアウト球として処理される。他のアウト口１６，１６の開口部は、遊技球流入領域２１側が段状に低くなるように形成されており、ほとんどの遊技球はアウト口１６，１６を飛び越して遊技球流入領域２１に導かれる。
【００２１】
図１〜８に示すように、遊技球流入領域２１の両側に沿うように、一対の可動部材２７，２７が遊技盤９の盤面と直交するように延びる回動軸３５，３５によって下端寄りの位置が軸支され回動自在に設けられている。可動部材２７，２７は、図５（Ａ）に示すように、遊技球流入領域２１において、遊技球流入領域２１に流入した遊技球をアウト口１５に導くように、アウト口１５への遊技球の経路を開放する第１位置と、図５（Ｂ）に示すように、アウト口１５への遊技球の経路を閉鎖して遊技球流入領域２１に流入する遊技球を遊技球受入口２３に誘導する第２位置との間で変位する。
【００２２】
ここで、可動部材２７，２７及びその周辺の構成について詳細に説明する。図３、図４に示すように、可動部材２７，２７は、遊技球流入領域２１を構成する飾り枠部材２９に軸支されており、軸支側の端部に設けられる規制片により回動範囲が規制されている。飾り枠部材２９は、樹脂で形成されており、下側が遊技領域７の最下部のガイドレール４に沿う略円弧状とされ、上側に略Ｖ字状の切欠きを有する形状の板状部を備え、板状部から遊技盤面と直交する所定高さのリブ壁３１を、中央部を除いて立設しており、その中央部は、遊技球が流入できる遊技球流入領域２１とされている。飾り枠部材２９の遊技球流入領域２１の両側には、図３、図５に示すように遊技球が入らないようにリブ壁３１により囲われた遊技球流入不可領域３３，３３が形成されており、遊技球流入不可領域３３，３３には、装飾効果を高めるために図示しないＬＥＤ等を搭載した基板が配置される。また、遊技球流入不可領域３３，３３を形成する上面のリブ壁３１は、遊技球流入領域２１側に下傾しており、遊技領域７を流下した遊技球を遊技球流入領域２１へ誘導する誘導路の役割をなしている。また、リブ壁３１により遊技球流入領域２１側が開放するように遊技球受入口２３，２３の入口開口部を形成している。
可動部材２７，２７は、遊技球受入口２３，２３側に窪む円弧状、すなわち略三日月状に形成されている。この形態の可動部材２７，２７を採用することで、特に可動時には直線状の可動部材よりも、大きく見せて目立たせると共に遊技球が遊技球受入口２３，２３へ向かって流れる様子を遊技者に対し、より長く視認させ鮮明にする構成としている。可動部材２７，２７の回動軸３５，３５は、図４に示すように、飾り枠部材２９の遊技球流入領域２１の下方両側縁部に形成された挿通孔２９Ａ，２９Ａを貫通し、さらに、後述の背面枠体４１に開設した支持孔４１Ａ，４１Ａを貫通して、後述のリンク機構４５のカム部材４３Ｂ，４３Ｂに連結されている。
【００２３】
飾り枠部材２９には、図３に示すように、前方側から可動部材２７，２７を組み付けて、さらに前方側から遊技球流入領域２１を覆う透明なカバー部材３７が組み付けられる。このように組み付けると、飾り枠部材２９とカバー部材３７との間に可動部材２７，２７が挟まれた状態となり、遊技球流入領域２１及び可動部材２７，２７の動作がカバー部材３７を介して視認可能となる。
飾り枠部材２９の背面の中央には、可動部材２７，２７を可動させる駆動源としてのソレノイド３９及びソレノイド３９の駆動力を可動部材２７，２７に伝達するリンク機構４５が組付けられる背面枠体４１が取り付けられている。背面枠体４１には、他のアウト口１６，１６及び遊技球受入口２３，２３から入球した遊技球を遊技盤９の後方に導く通路部が形成されている。また、背面枠体４１の後方にはリンク機構４５を構成する複数のリンク部材４３Ａ，４３Ａ，カム部材４３Ｂ，４３Ｂ，作動部材４３Ｃを覆い、リンク機構４５を保護すると共にリンク部材４３Ａ，４３Ａを軸支するリンク機構カバー４７が配されている。ソレノイド３９はプランジャ４９を備え、駆動力が遊技盤９に対し上下方向に発生するように垂直状に設けられている。プランジャ４９はリンク機構４５の中央に位置する作動部材４３Ｃに連結されており、作動部材４３Ｃは、左右のリンク部材４３Ａ，４３Ａに連結されている。そして、リンク部材４３Ａ，４３Ａは、それぞれ左右のカム部材４３Ｂ，４３Ｂに連結されて、左右のカム部材４３Ｂ，４３Ｂは、可動部材２７，２７の回動軸３５，３５と連結されている。そして、ソレノイド３９の励磁によりプランジャ４９が上下動作するとともに、作動部材４３Ｃが上下すると、その動作が、リンク部材４３Ａ，４３Ａに伝わりリンク部材４３Ａ，４３Ａが傾動すると、次にカム部材４３Ｂ，４３Ｂに伝わりカム部材４３Ｂ，４３Ｂが回動軸３５を中心に回動し、最終的に回動軸３５が固着されている可動部材２７，２７に伝わり、可動部材２７，２７が回動する構成とされている。実施例では、ソレノイド３９を励磁することにより、可動部材２７，２７が遊技球流入領域２１の内方に傾倒するようにリンク機構４５が連係されている。なお、背面枠体４１の前面側には、前述した遊技球受入口２３，２３に対応して入賞球検出手段２５としての近接センサ（磁気センサ）が設けられている。
【００２４】
ここで、可動部材２７，２７の動作について説明する。可動部材２７，２７の第１位置での状態を、図６（Ａ）、図７（Ａ）、図８（Ａ）に示し、可動部材２７，２７の第２位置での状態を、図６（Ｂ）、図７（Ｂ）、図８（Ｂ）に示す。
左右一対の可動部材２７，２７は、第１位置では、遊技球流入領域２１の上方に位置する先端部２７Ａ，２７Ａ同士が所定の間隔をもって離隔している。すなわち、可動部材２７，２７の先端部２７Ａ，２７Ａの間が開いた状態にあり、この状態では、可動部材２７，２７の間を複数の遊技球が同時に通過可能とされてアウト口１５への遊技球の経路を開放している。一方、第２位置では、左右一対の可動部材２７，２７の先端部２７Ａ，２７Ａ同士が近接している。すなわち、可動部材２７，２７の先端部２７Ａ，２７Ａの間が閉じた状態にあり、この状態では、左右一対の可動部材２７，２７の間を遊技球が通過できない構成とされてアウト口１５への遊技球の経路を閉鎖して、遊技球は可動部材２７，２７で受けられる。
【００２５】
実施例１の遊技機１によれば、遊技球流入領域２１の下端にアウト口１５が位置するように、飾り枠部材２９を遊技領域７の下方略１／４の位置に板状部が遊技盤９の盤面に当接するように設けている。そして、遊技球流入領域２１の両側部に遊技球受入口２３，２３が位置し、左右一対の可動部材２７，２７は、ソレノイド３９の動作より、遊技球流入領域２１においてアウト口１５への遊技球の経路を開放する第１位置（図５（Ａ）参照）と、アウト口１５への遊技球の経路を閉鎖して遊技球流入領域２１に流入する遊技球を遊技球受入口２３に誘導する第２位置（図５（Ｂ）参照）とに変位する。
【００２６】
可動部材２７，２７は通常時（大当たり以外）には起立した第１位置（図５（Ａ）参照）に変位しており、発射ハンドル１９を操作して上皿１７から供給された遊技球が遊技領域７に打ち込まれると、一部の遊技球は、入賞口６及び始動口１３に入賞するも、ほとんどの遊技球は直接又は遊技領域７の最下部の左右両端に亘って設けられる飾り枠体２９のリブ壁３１に受けられて遊技球流入領域２１に導かれる。そして、離間した可動部材２７，２７の間を通過してアウト口１５に導かれアウト球として処理される。また、始動口１３への入賞により表示装置１１の図柄が変動し、表示部の図柄が所定の図柄（例えば「７７７」）に停止すると特別遊技状態（大当たり）となり、ソレノイド３９が励磁して、可動部材２７，２７が第１位置から第２位置（図５（Ｂ）参照）に傾倒変位して、アウト口１５への経路が閉鎖され、遊技球流入領域２１に導かれた遊技球は、可動部材２７，２７に受けられて遊技球流入領域２１の両側部に設けられた遊技球受入口２３，２３に誘導され、入賞球として処理される。そして、入賞球検出手段２５により所定個数がカウントされるとソレノイド３９を消磁して、可動部材２７，２７が第２位置から第１位置に復動し、アウト口１５への経路が開放する。なお、可動部材２７，２７は、大当たりの際に、遊技球受入口２３，２３に所定個数が入賞するまで複数回可動させるようにしてもよい。
【００２７】
このように、可動部材２７，２７の動作により、遊技球流入領域２１に導かれた遊技球がアウト球になるのか入賞球になるのかが一目瞭然となり、大当たりの際に、遊技者は、入賞を確認するために、遊技球流入領域２１の下端を見る必要はなくなり、表示装置１１の表示態様等の遊技に集中できるため、遊技の興趣の低下が抑制される。
また、大当たりの際には、アウト口１５と離隔した位置に配置された遊技球受入口２３，２３に遊技球が誘導されるので、入賞の確認がし易く、今までアウト口１５に導かれてアウト球になっていた遊技球がすべて入賞球となるのが視認できるため、優越感を味わうことができる。
このように、実施例１によれば、通常時にアウト口１５に誘導されていた遊技球が、大当たりの際には遊技球受入口２３，２３に誘導されるのが明確になり、遊技の興趣を高め、遊技者に優越感・満足感が与えられる。
【００２８】
実施例１の遊技機１は、遊技球受入口２３，２３の開口直近に遊技球受入口２３，２３に入賞した遊技球を検出する入賞球検出手段２５，２５が設けられている。従って、遊技球受入口２３，２３へ入賞した遊技球の数を略入賞と同時に入賞球検出手段２５，２５により計数することができ、可動部材２７，２７の動作を迅速に制御することができる。そのため、遊技球受入口２３，２３に所定個数の遊技球が入球すると略同時に可動部材２７，２７を第２位置から第１位置に迅速に可動させて、遊技球受入口２３，２３への入球を制御して、遊技球受入口２３，２３に予定されていた数量よりも多くの遊技球が入賞する余剰球を抑制することができる。
【００２９】
実施例１の遊技機１では、可動部材２７，２７は遊技盤９の盤面と直交する回動軸３５，３５により回動する構成とされている。よって、可動部材２７，２７が遊技盤面に沿って可動するため動きをより大きく見せることができ、可動部材２７，２７の動きが目立ち、遊技の興趣をより高めることができる。
実施例１の遊技機１では、可動部材２７，２７は、遊技球受入口２３，２３側に窪む円弧状、具体的には、略三日月状に形成されている。実施例１では、可動部材２７，２７が円弧状に形成されているから、直線状のものに比べて視覚的に大きく見せることができ、遊技の興趣をより高めることができる。さらに、実施例１では、左右一対の可動部材２７，２７は、対称の形状となるように設けられており、図５（Ｂ）に示されるように、第２位置の状態の際には、可動部材２７，２７の上端部２７Ａ，２７Ａ同士が近接した形態が、人の両手を合わせた形態に類似するから、デザイン性（意匠性）が高い。また、第２位置では窪む円弧状部で遊技球を受けるため、遊技球を受け止める印象がより強くなり、遊技球受入口２３，２３へ入賞するイメージを高めることができる。
【００３０】
実施例１では、左右一対の可動部材２７，２７が第１位置及び第２位置に変位することで、アウト口１５への遊技球の経路の開放、及びアウト口１５への遊技球の経路の閉鎖を行っている。実施例１では、左右一対の可動部材２７，２７を用いてアウト口１５への遊技球の経路の開放及び閉鎖を行っているから、可動する部分が多く動作に変化があり、可動部材２７，２７の動作が見やすくなり、遊技の興趣をより高めることができる。なお、実施例１では可動部材２７，２７及び遊技球受入口２３，２３を対称的に設けるようにしたが、可動部材２７，２７の形状や大きさを遊技内容のイメージ（キャラクタ）に合わせて異ならせるようにしたり、遊技球受入口２３，２３を設置する高さ位置を異ならせるようにしてもよく、遊技の興趣をさらに高めることができる。なお、このとき各可動部材２７，２７をそれぞれ別のソレノイド３９で動作させるようにして、２つのソレノイド３９を同時に作用させて、アウト口１５への遊技球の経路を開閉させるようにしてもよい。
【００３１】
実施例１では、可動部材２７，２７の下端寄りの位置に、回動軸３５，３５が設けられているから、動作のストロークを大きくとることができ、その結果、可動部材２７，２７の動作が目立ちやすくなり、遊技球受入口２３，２３に入賞しているか否かが解り易く、遊技の興趣をより高めることができる。
【００３２】
実施例１では、１つのソレノイド３９により、リンク機構４５を介して左右一対の可動部材２７，２７を同時に動作させて第１位置及び第２位置に変位させているから、動作が確実であり構成が簡略化できる。
また、左右一対の可動部材２７，２７が、同期して動作するため、遊技者に動作をアピールしやすく、遊技の興趣をより高めることができる。
【００３３】
[実施例２]
次に、実施例２に係る遊技機について、図９を参照しつつ説明する。なお、実施例２に係る遊技機において、上記実施例１の遊技機と略同じ構成部位には同符号を付けて、構造、作用及び効果の説明は省略する。実施例２では、次の点が、実施例１と相違している。
実施例２では、遊技球流入領域２１の側部において、遊技球受入口２３，２３の上方に位置して、遊技球流入領域２１の側方を形成するリブ壁３１の一部を切り欠いてアウト流路５１，５１が設けられている。アウト流路５１へ入球した遊技球は、アウト球として処理される。アウト流路５１は、図９（Ａ）で示すように、可動部材２７，２７が第１位置の状態では遊技球受入口２３，２３と同様に可動部材２７，２７によって閉鎖されており、遊技球流入領域２１に導かれた遊技球はすべてアウト口１５に導かれる。
また、実施例２では、可動部材２７，２７には、可動部材２７，２７が第２位置から第１位置へ変位する際に受けた遊技球を遊技球受入口２３，２３に誘導することなく、アウト流路５１，５１に誘導するための誘導段部２７Ｃ，２７Ｃが形成されている。誘導段部２７Ｃ，２７Ｃは、可動部材２７，２７の長手方向の中央よりやや上端寄りの位置に形成されている。図９（Ｂ）鎖線で示すように、可動部材２７，２７が第２位置から第１位置に復動する際に図９（Ｂ）実線位置よりも上方に動いたときに、可動部材２７，２７に受けられた遊技球が誘導段部２７Ｃ，２７Ｃに乗り上げて、可動部材２７，２７に押されながら遊技球受入口２３，２３に向かう方向から遊技球受入口２３，２３の上方に設けられたアウト流路５１，５１に向かわせる構成とされている。
この構成では、遊技球受入口２３，２３に遊技球が所定個数入球した後、第１位置に復動する可動部材２７，２７に受けられた遊技球は、誘導段部２７Ｃ，２７Ｃによって、アウト流路５１，５１に誘導されてアウト球として処理されるから、遊技球受入口２３，２３への余剰球の入球を確実に抑制することができる。また、アウト流路５１，５１が遊技球流入領域２１を形成するリブ壁３１を切り欠いて設けているため、可動部材２７，２７が、第２位置から第１位置に復動する際に可動部材２７，２７で受けた遊技球をリブ壁３１との間で挟むことはなく、可動部材２７，２７を確実に第１位置に復動させることができる。
【００３４】
[実施例３]
次に、実施例３に係る遊技機について、図１０を参照しつつ説明する。なお、実施例３に係る遊技機において、上記実施例１の遊技機と略同じ構成部位には同符号を付けて、構造、作用及び効果の説明は省略する。実施例３では、次の点が、実施例１と相違している。
実施例３では、可動部材２７，２７は、回動軸３５，３５による軸支位置が、下端寄りから中央寄りに位置をずらして軸支しており、回動軸３５，３５の付近が谷となるように鈍角に屈曲した略Ｌ字状をなしている。より詳細には、可動部材２７，２７は、第２位置において回動軸３５，３５よりも外側に位置する短片部５５，５５と、回動軸３５，３５よりも内側に位置する長片部５７，５７とから構成されている。そして、第２位置（図１０（Ｂ）参照）において飾り枠部材２９の板状部に開設された遊技球受入口２３，２３の板面開口の前面に位置する短片部５５，５５の上面に、可動部材２７，２７で受けられた遊技球を遊技盤９の奥側へ誘導する誘導部２７Ｄ，２７Ｄを備えている。実施例３では誘導部２７Ｄ，２７Ｄは、可動部材２７，２７が第２位置とされた状態では、遊技盤９の奥側に斜めに下る傾斜面を有している。
また、実施例３では、遊技球受入口２３，２３より下方の領域に連通して、可動部材２７，２７が第２位置（図１０（Ｂ）参照）から第１位置（図１０（Ａ）参照）へ変位する際に可動部材２７，２７で受けた遊技球を遊技球受入口２３，２３に導くことなくアウト口１５へ導くための回避流路５３，５３が設けられている。
【００３５】
回避流路５３，５３は、可動部材２７，２７の短片部５５，５５の外周りに形成されており、可動部材２７，２７が第２位置から第１位置へ変位する際には、遊技球が通過できるスペースが確保されている。すなわち、回避流路５３，５３は、可動部材２７，２７が第２位置では回避流路５３，５３への開口が短片部５５，５５の端部とリブ壁３１とにより遊技球の直径よりも小さく設定され、可動部材２７，２７で受けた遊技球はすべて遊技球受入口２３，２３に導かれる。そして、可動部材２７，２７が第２位置から第１位置へ向かって動作し始めた後には、図１０（Ｂ）鎖線に示すように短片部５５，５５が下動することから遊技球受入口２３，２３への入賞が阻止されると共に、回避流路５３，５３への開口が遊技球の直径よりも大きな幅及び奥行きを有するようになり、可動部材２７，２７が第２位置から第１位置へ変位する際に受け止めた遊技球は、回避流路５３，５３を通過してアウト口１５に導かれる。
実施例３では、誘導部２７Ｄ，２７Ｄは、可動部材２７，２７が図１０（Ｂ）実線に示す第２位置とされた状態では、遊技球受入口２３，２３の開口前面において遊技盤９の奥側に向けて斜めに下る傾斜面を有しているから、可動部材２７，２７で受けられた遊技球を短片部５５，５５によって確実に遊技球受入口２３，２３に入球させることができる。
また、実施例３では、可動部材２７，２７が第２位置から第１位置へ変位する際に、遊技球受入口２３，２３より下方の領域に遊技球が通過できるスペースを有する回避流路５３，５３が形成されるから、遊技球受入口２３，２３に所定個数の遊技球が入球した後に可動部材２７，２７が第１位置に復動する際に受けた遊技球を余剰球として回避流路５３，５３を介して確実にアウト口１５に導くことができる。
【００３６】
[実施例４]
次に、実施例４に係る遊技機について、図１１を参照しつつ説明する。なお、実施例４に係る遊技機において、上記実施例１の遊技機と略同じ構成部位には同符号を付けて、構造、作用及び効果の説明は省略する。実施例４では、次の点が、実施例１と相違している。
遊技球流入領域２１の片側（図上右側）中間位置に遊技球受入口２３が設けられ、遊技球受入口２３と対向する遊技球流入領域２１の片側（左側）の流入開口近傍位置に、可動部材２７が、その上端寄りの位置が回動軸３５により軸支され回動自在に設けられている。可動部材２７は、遊技球流入領域２１を介して対向する遊技球受入口２３側に窪む円弧状をなしており、実施例１と異なり、遊技球流入領域２１の中央側に窪む円弧状をなしている。可動部材２７は、図１１の実線に示す第１位置では、遊技球流入領域２１の側方に沿う形態にあり、図１１の鎖線に示す第２位置では、可動部材２７の先端部２７Ａが下方から起き上がり、先端部２７Ａがリブ壁３１により形成される遊技球受入口２３の開口近傍に位置して、遊技球流入領域２１に横たわる形態となって、遊技球流入領域２１の略全領域にわたって、アウト口１５への経路を閉鎖する。それにともなって、可動部材２７は、第２位置では、遊技球流入領域２１に導かれた遊技球を受けて、対向して設けられた遊技球受入口２３に誘導する。そして、入賞球検出手段２５で所定個数の遊技球が検出されると、駆動源の駆動に伴って可動部材２７の先端部２７Ａが下動して第１位置に復動しアウト口１５への経路を開放する。なお、遊技球受入口２３は、実施例１と異なり通常時に可動部材２７により閉鎖されていないが、遊技球流入領域２１を形成するリブ壁３１から少し外方に奥まるように設けられているため、遊技球流入領域２１の開口から流入する遊技球が直接遊技球受入口２３に入賞することはない。
このように、実施例４では、可動部材２７が第２位置から第１位置に復動する際に、先端部２７Ａが遊技球受入口２３の開口近傍位置からアウト口１５に向かうように下方に変位可動するため、可動部材２７で受け止めた遊技球は、遊技球受入口２３に導かれることなく確実にアウト口１５に導かれる。そのため、遊技球受入口２３に入賞する余剰球を確実になくすことができる。
また、実施例４では、１つの可動部材２７により、アウト口１５への経路を開閉するから、可動部材２７の動作が目立ちやすくなり、遊技球受入口２３に入賞しているか否かが解り易く、遊技の興趣をより高めることができる。
また、可動部材２７が第１位置から第２位置に変位する際に、先端部２７Ａが下方から上方に変位するため、第１位置で全てアウト球になっていた遊技球を掬い上げ、恰もかき集めるような動作となり、遊技者は優越感をより深く味わうことができる。さらに、第２位置の際に、遊技球流入領域２１に導かれた遊技球は、可動部材２７に受けられて、遊技球流入領域２１を左から右へ横断するように誘導されるから、遊技球の動作が目立ちやすくなり、遊技の興趣をより高めることができる。
なお、可動部材２７及び遊技球受入口２３の配置が左右逆の構成であってもよい。
【００３７】
[実施例５]
次に、実施例５に係る遊技機について、図１２を参照しつつ説明する。なお、実施例５に係る遊技機において、上記実施例２の遊技機と略同じ構成部位には同符号を付けて、構造、作用及び効果の説明は省略する。実施例５では、次の点が、実施例２と相違している。
実施例５では、実施例２における他のアウト口１６，１６は、アウト流路５１，５１と連通した形態とされている。図１２（Ａ）に示すように、可動部材２７，２７が第１位置でもアウト流路５１，５１の上方は解放されているため、この第１位置でも、遊技球が遊技領域７からアウト流路５１，５１に入り得る構成とされている。また、図１２（Ｂ）に示すように、逆に可動部材２７，２７が第２位置に変位した場合には、実施例２の他のアウト口１６，１６の開口に相当する位置から入球した遊技球がアウト流路５１，５１に入らずに可動部材２７，２７上に落下して遊技球受入口２３，２３に導かれ入賞することもあり得る。このように、遊技球の動きが多彩となり、遊技の興趣を高めることができる。
この実施例５においては、アウト流路５１，５１は可動部材２７，２７の先端を保護する僅かなリブ壁３１，３１を除いて開口されているため、可動部材２７，２７が第１位置に復動する際に可動部材２７，２７で受けられた遊技球をリブ壁３１，３１との間に挟み込む不具合を起こすことはなく、確実にアウト流路５１，５１に導くことができる。
【００３８】
[実施例６]
次に、実施例６に係る遊技機について、図１３を参照しつつ説明する。なお、実施例６に係る遊技機において、上記実施例３の遊技機と略同じ構成部位には同符号を付けて、構造、作用及び効果の説明は省略する。
可動部材２７，２７は、遊技球受入口２３，２３側に窪む円弧状をなし、回動軸３５，３５による軸支位置が、下端寄りから中央寄りに位置をずらして短片部５５，５５が形成され、短片部５５，５５は、少なくとも遊技球が１個載置可能な長さに設定される。詳しくは、可動部材２７，２７が図１３（Ｂ）に示す第２位置のときに遊技球受入口２３，２３の近傍に位置する可動部材２７，２７の部位（短片部５５，５５）が、下方に可動して遊技球受入口２３，２３との間が遊技球が通過可能な所定の間隔離間するように可動部材２７，２７が軸支されている。また図１３（Ａ）に示すように、遊技球受入口２３，２３の下端略中央からは、第１位置の可動部材２７，２７の短片部５５，５５と所定の間隔をもってリブ壁３１，３１が下方に略垂設されて、遊技球受入口２３，２３より下方の領域に回避流路５３，５３が形成されている。詳しくは、図１３（Ａ）に示すように、回避流路５３，５３は、遊技球受入口２３，２３の開口に隣接して遊技球流入領域２１の中央寄り斜め下方に形成され、可動部材２７，２７と、遊技球受入口２３，２３の下方に形成されたリブ壁３１，３１との間の空間をなし、可動部材２７，２７が第２位置から第１位置へ変位する際には、遊技球がアウト口１５に向かって通過できるスペースが確保されている。
遊技球受入口２３，２３に所定個数が入球した後に可動部材２７，２７が第２位置から前記第１位置へ変位する際に受けた遊技球は、図１３（Ｂ）の鎖線で示すように可動部材２７，２７の上面を転動した後、短片部５５，５５が下方に変位することにより遊技球受入口２３，２３に導かれることなく、図１３（Ａ）に示す回避流路５３を落下してアウト口１５に導かれる。そのため、遊技球受入口２３，２３に入賞する余剰球を確実になくすことができる。
【００３９】
［他の実施形態]
本発明は上記記述及び図面によって説明した実施形態に限定されるものではなく、例えば次のような実施形態も本発明の技術的範囲に含まれる。
【００４０】
実施例１〜６では、特定の形状の可動部材を示して説明したが、可動部材の形状は特に限定されず、種々の形状を採用することができる。例えば遊技球流入領域の開口部を左右に亘って開閉する開閉板を設け、この開閉板を遊技球流入領域に進退させたり前後に傾倒させたりして、アウト口への遊技球の経路を開放する第１位置と、アウト口への遊技球の経路を閉鎖して遊技球流入領域に流入する遊技球を遊技球受入口に誘導する第２位置とに変位するようにしてもよい。
【００４１】
実施例１〜６では、可動部材はソレノイドにより動作する例を示して説明したが、ソレノイド以外のアクチュエータを採用してもよい。例えば、アクチュエータとしてモータを採用し、その駆動力を可動部材に伝達するようにしてもよい。また、駆動力を可動部材に伝達する伝達手段としてギア機構を設けるようにしてもよい。また、実施例１〜６では、入賞球検出手段を遊技球受入口が形成される飾り枠部材２９の板状部に開設した開口近傍に設けるようにしたが、リブ壁で形成される遊技球受入口の入口開口部に設けて、より迅速に入賞球を検出し得るようにしてもよい。
【００４２】
実施例１〜３、５〜６では、遊技球流入領域２１を略左右対称として、左右一対の可動部材２７，２７を用いた例を示して説明したが、遊技球受入口２３を片側の１つにして、１つの可動部材２７によって、遊技球受入口２３への誘導と、アウト口１５への誘導とを切り替えるようにしてもよい。この場合には、左右一対の可動部材２７，２７を用いた場合よりも、簡易（コンパクト）な構成で所望の効果を得ることができる。
【００４３】
実施例１〜４、６では遊技球流入領域２１の開口の両側に他のアウト口１６，１６を設けるようにしたが、他のアウト口１６，１６を省略して、入賞口に入賞しなかったすべての遊技球を遊技球流入領域２１に導くようにしてもよい。
【符号の説明】
【００４４】
１…遊技機
７…遊技領域
９…遊技盤
１５…アウト口
２１…遊技球流入領域
２３…遊技球受入口
２５…入賞球検出手段
２７…可動部材
２７Ｃ…誘導段部
２７Ｄ…誘導部
３５…回動軸
５１…アウト流路
５３…回避流路
【図１】
2018075126.tif 000003
【図２】
2018075126.tif 000004
【図３】
2018075126.tif 000005
【図４】
2018075126.tif 000006
【図５】
2018075126.tif 000007
【図６】
2018075126.tif 000008
【図７】
2018075126.tif 000009
【図８】
2018075126.tif 000010
【図９】
2018075126.tif 000011
【図１０】
2018075126.tif 000012
【図１１】
2018075126.tif 000013
【図１２】
2018075126.tif 000014
【図１３】
2018075126.tif 000015